(57)【特許請求の範囲】
【請求項１】
おむつの前身頃、股下部及び後身頃を構成する外装体と、
吸収体、前記吸収体の上面側を被覆するように配設された、少なくとも一部が液透過性材料からなるトップシート、及び前記吸収体の下面側を被覆するように配設された、液不透過性材料からなるバックシートを有する吸収性本体と、を備え、
前記外装体の少なくとも一部が、第一シート、第二シート、及び第三シートの少なくとも三枚のシートが積層されたシート積層部と、前記シート積層部を構成するシート間に、互いに平行となるように伸張状態で配置された複数の伸縮材とを有し、前記シート積層部と前記複数の伸縮材とによって前記外装体の少なくとも一部に伸縮部位が形成されており、
前記伸縮部位に配置された前記複数の伸縮材が、おむつのウエスト周りに配置されるウエスト周り伸縮材であり、且つ、前記複数の伸縮材は、少なくとも一の伸縮材が、前記第一シートと前記第二シートとの間に配置されるとともに、前記一の伸縮材以外の他の伸縮材が、前記第二シートと前記第三シートとの間に配置され、前記シート積層部を構成する各シートは、シート相互間に配置された前記伸縮材を介して互いに接合されるとともに、前記複数の伸縮材のうちの少なくとも２つの伸縮材は、前記第一シート及び前記第二シートの間と、前記第二シート及び前記第三シートの間とに交互に配置されている使い捨ておむつ。
【請求項２】
前記複数の伸縮材のうちの少なくとも２つの伸縮材は、各シート間の相互において、当該２つの伸縮材の配置位置が重ならないように間隔を空けて配置されている請求項１に記載の使い捨ておむつ。
【請求項３】
前記第一シートと前記第二シートとの間に配置された前記伸縮材の間隔、及び前記第二シートと前記第三シートとの間に配置された前記伸縮材の間隔のそれぞれが、１０ｍｍ以上である請求項１又は２に記載の使い捨ておむつ。
【請求項４】
前記複数の伸縮材の相互の間隔が、５〜１０ｍｍである請求項１〜３のいずれか一項に記載の使い捨ておむつ。
【請求項５】
前記第一シートと前記第二シートとの間に配置された前記伸縮材と、前記第二シートと前記第三シートとの間に配置された前記伸縮材とが、異なる材質の伸縮材である請求項１〜４のいずれか一項に記載の使い捨ておむつ。
【請求項６】
前記第一シートと前記第二シートとの間に配置された前記伸縮材と、前記第二シートと前記第三シートとの間に配置された前記伸縮材とが、伸張率の異なる状態で配置されている請求項１〜５のいずれか一項に記載の使い捨ておむつ。
【請求項７】
前記シート積層部を構成するシート相互間に配置された前記伸縮材のうち、おむつの内側に配置される伸縮材の伸張率よりも、おむつの外側に配置される伸縮材の伸張率が大である請求項６に記載の使い捨ておむつ。
【発明の詳細な説明】
【技術分野】
【０００１】
本発明は、使い捨ておむつに関する。更に詳しくは、フィット性に優れ、着用者の肌に伸縮材による跡のつき難い使い捨ておむつに関する。
【背景技術】
【０００２】
従来、尿などの排泄液を吸収する使い捨ておむつとして、パンツ型やテープ型の使い捨ておむつが用いられている（例えば、特許文献１及び２参照）。
【０００３】
例えば、パンツ型の使い捨ておむつは、図５Ａ及び図５Ｂに示す使い捨ておむつ１００のように、吸収体１２２と、少なくとも一部が液透過性材料からなり、吸収体１２２の表面を被覆するように配置されたトップシート１１８と、液不透過性材料からなり、吸収体１２２の裏面を被覆するように配置されたバックシート１２０とを有する吸収性本体１１４、及び外装体１１６を備え、前身頃２、股下部４及び後身頃６の各部から構成され、前身頃２と後身頃６の対応する側縁２ａ，６ａ（２ｂ，６ｂ）同士が接合されて、一つのウエスト開口部１１０と一対のレッグ開口部１１２（１１２ａ，１１２ｂ）が形成された使い捨ておむつである。ここで、図５Ａは、従来のパンツ型使い捨ておむつを示す斜視図であり、図５Ｂは、図５Ａのパンツ型使い捨ておむつを展開し、トップシート側から見た状態を示す概略平面図である。
【０００４】
このようなパンツ型使い捨ておむつ１００によれば、着用者の排泄物は、トップシート１１８の液透過性の部分を透過して吸収体１２２に吸収されるとともに、液不透過性の材料で構成されるバックシート１２０によって外部への漏洩が防止されるため、排泄物をおむつ内部に保持することができる。
【０００５】
このような使い捨ておむつ１００は、例えば、おむつのウエスト開口部１１０に沿って複数の伸縮材１３０（以下、「ウエスト周り伸縮材」ということがある）が配置されており、このウエスト周り伸縮材１３０によってウエスト周りに伸縮性を付与し、ウエスト周りのフィット性を向上させている。
【０００６】
このような伸縮材１３０は、通常、例えば、図５Ｃ及び図５Ｄに示すように、外装体１１６を構成する二枚のシート１１６ａ，１１６ｂ間に、所定の間隔を空けて平行に配置されている。即ち、上記伸縮材１３０は、上記二枚のシート（インナーシート１１６ａ，アウターシート１１６ｂ）によって挟持されることにより固定され、おむつの伸縮部位が形成されている。ここで、図５Ｃは、図５Ｂの使い捨ておむつのＢ−Ｂ’断面を示す概略断面図であり、図５Ｄは、図５Ｃの使い捨ておむつの拡大図である。
【先行技術文献】
【特許文献】
【０００７】
【特許文献１】特開２００７−２４４５０６号公報
【特許文献２】特開２００８−０２９５８０号公報
【発明の概要】
【発明が解決しようとする課題】
【０００８】
しかしながら、このような二枚のシートによって、伸縮材を挟持することによって形成された伸縮部位は、略平行に配置された複数の伸縮材の間隔が狭く、伸縮材が密集して配置されているため、着用者の肌に伸縮材の跡（ゴム跡）がつき易いという問題や、この伸縮部位の手触りが悪いという問題があった。
【０００９】
また、柔らかい手触りと伸縮材の跡をつき難くするために、二枚のシート間に配置される伸縮材の間隔を広くすることも考えられる。しかし、単に伸縮材の間隔を広くして配置したのみでは、伸縮材の本数が減ることとなるため、伸縮材の強度が相対的に低下し、また伸縮材が配置された部位の伸縮力も低下してしまう。また、伸縮材の本数が減少した分、１つの伸縮材の強度を上げた場合には、逆に伸縮材の跡がつき易くなってしまうという問題もある。
【００１０】
本発明は、このような従来技術の課題を解決するためになされたものであり、フィット性に優れ、着用者の肌に伸縮材による跡のつき難い使い捨ておむつを提供するものである。
【課題を解決するための手段】
【００１１】
本発明者は、前記のような従来技術の課題を解決するために鋭意検討した結果、シート間に伸縮材を配置することによって形成される伸縮部位を、少なくとも三枚のシート（第一シート、第二シート、及び第三シート）が積層されたシート積層部と、このシート積層部を構成する少なくとも三枚のシートの間、即ち、第一シートと第二シートとの間、及び第二シートと第三シートとの間に配置された伸縮材と、によって形成することにより、伸縮部位に配置する伸縮材の間隔を過剰に広げることなく、且つ、１つの伸縮材の強度を過剰に上げることなく、上記課題が解決されることに想到し、本発明を完成させた。具体的には、本発明により、以下の使い捨ておむつが提供される。
【００１２】
［１］  おむつの前身頃、股下部及び後身頃を構成する外装体と、吸収体、前記吸収体の上面側を被覆するように配設された、少なくとも一部が液透過性材料からなるトップシート、及び前記吸収体の下面側を被覆するように配設された、液不透過性材料からなるバックシートを有する吸収性本体と、を備え、前記外装体の少なくとも一部が、第一シート、第二シート、及び第三シートの少なくとも三枚のシートが積層されたシート積層部と、前記シート積層部を構成するシート間に、互いに平行となるように伸張状態で配置された複数の伸縮材とを有し、前記シート積層部と前記複数の伸縮材とによって前記外装体の少なくとも一部に伸縮部位が形成されており、前記伸縮部位に配置された前記複数の伸縮材が、おむつのウエスト周りに配置されるウエスト周り伸縮材であり、且つ、前記複数の伸縮材は、少なくとも一の伸縮材が、前記第一シートと前記第二シートとの間に配置されるとともに、前記一の伸縮材以外の他の伸縮材が、前記第二シートと前記第三シートとの間に配置され、前記シート積層部を構成する各シートは、シート相互間に配置された前記伸縮材を介して互いに接合されるとともに、前記複数の伸縮材のうちの少なくとも２つの伸縮材は、前記第一シート及び前記第二シートの間と、前記第二シート及び前記第三シートの間とに交互に配置されている使い捨ておむつ。
【００１３】
［２］  前記複数の伸縮材のうちの少なくとも２つの伸縮材は、各シート間の相互において、当該２つの伸縮材の配置位置が重ならないように間隔を空けて配置されている前記［１］に記載の使い捨ておむつ。
【００１５】
［３］  前記第一シートと前記第二シートとの間に配置された前記伸縮材の間隔、及び前記第二シートと前記第三シートとの間に配置された前記伸縮材の間隔のそれぞれが、１０ｍｍ以上である前記［１］又は［２］に記載の使い捨ておむつ。
【００１６】
［４］  前記複数の伸縮材の相互の間隔が、５〜１０ｍｍである前記［１］〜［３］のいずれかに記載の使い捨ておむつ。
【００１７】
［５］  前記第一シートと前記第二シートとの間に配置された前記伸縮材と、前記第二シートと前記第三シートとの間に配置された前記伸縮材とが、異なる材質の伸縮材である前記［１］〜［４］のいずれかに記載の使い捨ておむつ。
【００１８】
［６］  前記第一シートと前記第二シートとの間に配置された前記伸縮材と、前記第二シートと前記第三シートとの間に配置された前記伸縮材とが、伸張率の異なる状態で配置されている前記［１］〜［５］のいずれかに記載の使い捨ておむつ。
【００１９】
［７］  前記シート積層部を構成するシート相互間に配置された前記伸縮材のうち、おむつの内側に配置される伸縮材の伸張率よりも、おむつの外側に配置される伸縮材の伸張率が大である前記［６］に記載の使い捨ておむつ。
【発明の効果】
【００２１】
本発明の使い捨ておむつは、シート間に伸縮材が配置されることによって形成される伸縮部位が、少なくとも三枚のシート（第一シート、第二シート、及び第三シート）が積層されたシート積層部と、このシート積層部を構成する各シート間に配置された複数の伸縮材とによって形成されており、少なくとも一の伸縮材が、第一シートと第二シートとの間に配置されるとともに、一の伸縮材以外の他の伸縮材が、第二シートと第三シートとの間に配置されているため、フィット性に優れ、着用者の肌に伸縮材による跡のつき難いものとなる。
【００２２】
また、本発明の使い捨ておむつは、シート積層部を構成する三枚のシートを、シート相互間に配置された伸縮材を介して互いに接合することによって、この伸縮材が、シート積層部を構成するシートから浮き上がり、伸縮部位に柔らかい雰囲気を作り出すことができる。
【００２３】
また、本発明の好ましい形態として、上記伸縮材を、おむつのウエスト周りに配置されるウエスト周り伸縮材とすることによって、ウエスト周りのフィット性に優れ、おむつ着用時においておむつがズレ落ち難くなる。
【００２４】
例えば、従来の使い捨ておむつのように、二枚のシート間にウエスト周り伸縮材を配置した場合と比較して、柔らかい手触りと、肌に伸縮材による跡をつけ難くすることができる。特に、ウエスト周り伸縮材の数（即ち、ウエスト周り方向に沿って間隔を空けて配置される本数）を減らすことなく、上述した効果を発現させることができるため、おむつの見た目が良好である。
【図面の簡単な説明】
【００２５】
【図１Ａ】本発明の使い捨ておむつの一の実施形態を示す斜視図である。
【図１Ｂ】図１Ａの使い捨ておむつを展開し、トップシート側から見た状態を示す概略平面図である。
【図１Ｃ】図１Ｂの使い捨ておむつのＡ−Ａ’断面を示す概略断面図である。
【図１Ｄ】図１Ｃの使い捨ておむつの拡大図である。
【図１Ｅ】図１Ｄに示すシート積層部の各シートの接合状態を示す模式図である。
【図２】本発明の使い捨ておむつの他の実施形態の断面を拡大して模式的に示す拡大図である。
【図３】本発明の使い捨ておむつの更に他の実施形態の断面を拡大して模式的に示す拡大図である。
【図４】本発明の使い捨ておむつの更に他の実施形態を展開し、トップシート側から見た状態を示す概略平面図である。
【図５Ａ】従来の使い捨ておむつを示す斜視図である。
【図５Ｂ】図５Ａの使い捨ておむつを展開し、トップシート側から見た状態を示す概略平面図である。
【図５Ｃ】図５Ｂの使い捨ておむつのＢ−Ｂ’断面を示す概略断面図である。
【図５Ｄ】図５Ｃの使い捨ておむつの拡大図である。
【発明を実施するための形態】
【００２６】
以下、本発明の使い捨ておむつを実施するための形態について、具体的に説明する。但し、本発明はその発明特定事項を備える使い捨ておむつを広く包含するものであり、以下の実施形態に限定されるものではない。
【００２７】
［１］本発明の使い捨ておむつの構成：
本発明の使い捨ておむつは、図１Ａ及び図１Ｂに示す使い捨ておむつ１Ａのように、おむつの前身頃２、股下部４及び後身頃６を構成する外装体１６と、吸収体２２、吸収体２２の上面側を被覆するように配設された、少なくとも一部が液透過性材料からなるトップシート１８、及び吸収体２２の下面側を被覆するように配設された、液不透過性材料からなるバックシート２０を有する吸収性本体１４と、を備えた使い捨ておむつ１Ａである。
【００２８】
そして、本発明の使い捨ておむつ１Ａは、図１Ｃ及び図１Ｄに示すように、外装体１６の少なくとも一部１６Ｘが、第一シート６６ａ、第二シート６６ｂ、及び第三シート６６ｃの少なくとも三枚のシートが積層されたシート積層部６６と、このシート積層部６６を構成するシート６６ａ，６６ｂ，６６ｃ間に、互いに平行となるように伸張状態で配置された（例えば、一の方向に沿って互いに平行に配置された）複数の伸縮材６８とを有し、複数の伸縮材６８は、少なくとも一の伸縮材６８ａが、第一シート６６ａと第二シート６６ｂとの間に配置されるとともに、一の伸縮材６８ａ以外の他の伸縮材６８ｂが、第二シート６６ｂと第三シート６６ｃとの間に配置され、シート積層部６６を構成する各シート６６ａ，６６ｂ，６６ｃは、シート相互間に配置された伸縮材６８ａ，６８ｂを介して互いに接合されている。
【００２９】
本発明の使い捨ておむつは、シート間に伸縮材が配置されて形成される伸縮部位（即ち、図１Ａ〜図１Ｄにおける外装体１６の少なくとも一部１６Ｘ）が、上述したシート積層部と、このシート積層部を構成する各シート間に配置された複数の伸縮材とによって形成されており、一の伸縮材と他の伸縮材とが、異なるシート間に配置されている。このため、複数の伸縮材がシート間に分散して配置されることとなり、フィット性に優れ、着用者の肌に伸縮材による跡のつき難いものとなる。即ち、伸縮部位に配置する伸縮材の間隔を過剰に広げることなく、且つ、１つの伸縮材の強度を過剰に上げることなく、フィット性に優れ、着用者の肌に伸縮材による跡のつき難い使い捨ておむつを実現することができる。
【００３０】
また、本発明の使い捨ておむつは、シート積層部を構成する三枚のシートを、シート相互間に配置された伸縮材を介して互いに接合することによって、伸縮材が、シート積層部を構成するシートから浮き上がり、伸縮部位に柔らかい雰囲気を作り出すことができる。例えば、二枚のシート間に、本発明における伸縮部位と同様の数の伸縮材を配置した場合には、伸縮材の配置間隔が狭くなり、上述した浮き上がりの効果を得ることが困難となる。また、仮に二枚のシート間に、間隔を広くして伸縮材を配置したとすると、伸縮部位の強度が下がるため、伸縮材の伸張率を高くするか、或いは強いゴムを使う必要があるが、いずれの場合にも着用者の肌に伸縮材による跡がつき易くなってしまう。
【００３１】
ここで、図１Ａは、本発明の使い捨ておむつの一の実施形態を示す斜視図であり、図１Ｂは、図１Ａの使い捨ておむつを展開し、トップシート側から見た状態を示す概略平面図である。また、図１Ｃは、図１Ｂの使い捨ておむつのＡ−Ａ’断面を示す概略断面図であり、図１Ｄは、図１Ｃの使い捨ておむつの拡大図である。
【００３２】
なお、図１Ａ〜図１Ｄに示す使い捨ておむつ１Ａにおいては、外装体１６の少なくとも一部１６Ｘによって構成される伸縮部位が、ウエスト周りであり、上記伸縮部位に配置される伸縮材６８が、おむつのウエスト周りに配置されるウエスト周り伸縮材５２である場合の例（換言すれば、ウエストギャザーの例）を示しているが、この伸縮部位については、ウエスト周りの伸縮部位に限定されることはなく、使い捨ておむつを構成する外装体に、伸縮材が配置され得る部位であれば、その他の部位であってもよい。
【００３３】
例えば、上記伸縮部位に配置される伸縮材として、おむつの腹回りに配置される腹回り伸縮材５４（タミーギャザー）を採用してもよいし、また、おむつの脚周りに配置される脚周り伸縮材５６（レッグギャザー）を採用してもよい。更に、上記、ウエスト周り、腹回り、及び脚周り以外に、伸縮材を配置し、上述した構成の伸縮部位を形成してもよい。
【００３４】
図１Ａ〜図１Ｄに示す使い捨ておむつ１Ａは、上記伸縮部位（外装体の一部１６Ｘ）に配置される伸縮材６８を、ウエスト周り伸縮材５２とすることによって、ウエスト周りのフィット性に優れ、おむつ着用時においておむつがズレ落ち難い使い捨ておむつとすることができる。
【００３５】
例えば、従来の使い捨ておむつのように、二枚のシート間にウエスト周り伸縮材を配置した場合と比較して、柔らかい手触りと、肌に伸縮材による跡をつけ難くすることができる。特に、ウエスト周り伸縮材の数（即ち、ウエスト周り方向に沿って間隔を空けて配置される本数）を減らすことなく、上述した効果を発現させることができるため、おむつの見た目も良好である。
【００３６】
なお、図１Ａ〜図１Ｄに示す使い捨ておむつ１Ａにおいては、おむつの外装体１６がインナーシート１６ａとアウターシート１６ｂによって構成されており、インナーシート１６ａが、シート積層部６６の第二シート６６ｂとなり、アウターシート１６ｂが、シート積層部６６の第一シート６６ａ及び第三シート６６ｃとなっている。具体的には、アウターシート１６ｂである第三シート６６ｃは、おむつのウエスト開口部１０にて、おむつの内側に（即ち、インナーシート１６ａである第二シート６６ｂを覆うようにして）折り返されて、アウターシート１６ｂから延出された第一シート６６ａを形成している。このように、シート積層部６６を構成する三枚のシート６６ａ，６６ｂ，６６ｃは、それぞれ独立した三枚のシートでなくとも、シートを折り返すことによって、上記伸縮部位にて三枚のシートが積層された状態のものであればよい。
【００３７】
具体的には、図１Ｄにおいては、第一シート６６ａ及び第三シート６６ｃが、一枚の連続するシート（具体的には、アウターシート１６ｂ）によって構成された場合の例を示しているが、例えば、図２に示す使い捨ておむつ１Ｂのように、第一シート６６ａ、第二シート６６ｂ、及び第三シート６６ｃは、それぞれ独立した別のシートであってもよい。但し、上述したように、アウターシート１６ｂを折り返すことによって、第一シート６６ａと第三シート６６ｃとを形成することにより、より簡便に、本発明における伸縮部位を形成することができる。ここで、図２は、本発明の使い捨ておむつの他の実施形態の断面を拡大して模式的に示す拡大図である。なお、図２における断面部位は、図１Ｄに示す断面と同様の部位である。
【００３８】
以下、本発明の使い捨ておむつの各構成要素について更に詳細に説明する。
【００３９】
［１−１］外装体：
外装体は、おむつの前身頃、股下部及び後身頃を構成するものであり、例えば、インナーシートとアウターシートとを積層した積層シートによって構成された外装体を挙げることができる。
【００４０】
外装体を構成するシート（例えば、上記したインナーシート及びアウターシート）は、不織布等によって構成することができ、例えば、ポリエチレン、ポリプロピレン、ポリエステル、その他の熱可塑性樹脂からなる合成繊維によって構成された不織布等からなるシートを好適例として挙げることができる。
【００４１】
図１Ｅに示すように、シート積層部６６を構成する各シート６６ａ，６６ｂ，６６ｃは、シート相互間に配置された伸縮材６８ａ，６８ｂを介して互いに接合されている。このように構成することによって、各シート６６ａ，６６ｂ，６６ｃは、伸縮材６８ａ，６８ｂが配置された以外の部位において、相互に独立しており、おむつのフィット性を向上させることができる。ここで、図１Ｅは、図１Ｄに示すシート積層部の各シートの接合状態を示す模式図である。
【００４２】
なお、図１Ｅにおいては、作図上、各シート６６ａ，６６ｂ，６６ｃが独立している状態（即ち、各シート６６ａ，６６ｂ，６６ｃが、伸縮材６８ａ，６８ｂによってのみ互いに接合され、各シート６６ａ，６６ｂ，６６ｃ同士は実質的に接合されていない状態）を示すため、各シート６６ａ，６６ｂ，６６ｃ間に隙間があるように示しているが、実際の使い捨ておむつにおいては、各シート６６ａ，６６ｂ，６６ｃの柔軟性によってほぼ隙間のない状態で各シートが積層されている。
【００４３】
各シート６６ａ，６６ｂ，６６ｃと、伸縮材６８ａ，６８ｂとの固定方法としては、例えば、ホットメルト接着剤、その他の流動性の高い接着剤を用いた方法を挙げることができる。上記ホットメルト接着剤等は、伸縮材に塗布（塗工）して用いることが好ましい。接着剤を塗布する方法については特に制限はなく、例えば、接触式、塗布式のいずれの方法であってもよい。例えば、伸縮材を配置する方向に沿って接着剤を吹き付ける等の方法により塗布することもできる。
【００４４】
本発明の使い捨ておむつにおいては、上述したように、少なくとも三枚のシート（第一シート、第二シート、及び第三シート）によって構成される伸縮部位が、シート間に配置された伸縮材によってのみ互いに接合されており、伸縮材以外のシート間が非接着の状態であることが好ましい。このように構成することにより、各シート同士が連結される部位が、伸縮材の配置された箇所のみとなるため、各シートが他のシートにより拘束され難くなり、伸縮部位の柔軟性をより良好なものとすることができる。
【００４５】
これまでに説明したように、本発明の使い捨ておむつにおいては、外装体の少なくとも一部が、第一シート、第二シート、及び第三シートの少なくとも三枚のシートが積層されたシート積層部と、このシート積層部を構成するシート間に、所定の方向に伸張状態で配置された複数の伸縮材とを有する伸縮部位を形成している。
【００４６】
第一シート、第二シート、及び第三シートは、上述したインナーシート及びアウターシートの一部によって構成されてもの、或いは、このインナーシート及びアウターシートから延出されたシートであることが好ましい。このため、第一シート、第二シート、及び第三シートは、不織布等によって構成することができ、例えば、ポリエチレン、ポリプロピレン、ポリエステル、その他の熱可塑性樹脂からなる合成繊維によって構成された不織布等からなるシートを好適例として挙げることができる。なお、図２に示すように、三枚目のシートとして、インナーシート及びアウターシート以外のシート（シート６６ａ）を用いることもできる。
【００４７】
本発明の使い捨ておむつにおいては、伸縮部位に配置される複数の伸縮材のうちの少なくとも２つの伸縮材が、各シート間の相互において、当該２つの伸縮材の配置位置が重ならないように間隔を空けて配置されていることが好ましい。例えば、複数の伸縮材が、第一伸縮材、第二伸縮材、及び第三伸縮材を有する場合には、第一伸縮材と、当該第一伸縮材に隣接する第二伸縮材との間に、第三伸縮材が位置することが好ましい。このように構成することによって、伸縮材が密集して配置されることを有効に防止し、着用者の肌に伸縮材による跡が、よりつき難いものとなる。なお、上述したように、少なくとも２つの伸縮材は、その配置位置が重ならないように間隔を空けて配置されていることが好ましいが、例えば、第一シートと第二シートとの間、及び第二シートと第三シートとの間に配置された他の伸縮材（即ち、間隔を空けて配置された伸縮材以外の伸縮材）は、部分的にその配置位置が重なるように配置されていてもよい。
【００４８】
更に、この複数の伸縮材のうちの少なくとも２つの伸縮材は、第一シート及び第二シートの間と、第二シート及び第三シートの間とに交互に配置されている。このように構成することによって、二枚のシート間に伸縮材を配置した場合と比較して、伸縮材の配置間隔を実質的に２倍に広げることができ、着用者の肌に伸縮材による跡が、極めてつき難いものとなる。図１Ｄに示す使い捨ておむつ１Ａは、第一シート６６ａ及び第二シート６６ｂの間と、第二シート６６ｂ及び第三シート６６ｃの間とに交互に伸縮材６８を配置した場合の例を示している。勿論、本発明の使い捨ておむつは、複数の伸縮材が、第一シートと第二シートとの間、及び第二シートと第三シートとの間の両方に配置されていれば、例えば、図３に示す使い捨ておむつ１Ｃのように、隣接する伸縮材６８が交互に配置されていなくともよい。図３においては、おむつのウエスト開口部から股下部側に向けて、第一シート６６ａと第二シート６６ｂとの間に、伸縮材６８ａが２つ連続して配置され、次に、第二シート６６ｂと第三シート６６ｃとの間に、伸縮材６８ｂが２つ連続して配置された場合の例を示している。ここで、図３は、本発明の使い捨ておむつの更に他の実施形態の断面を拡大して模式的に示す拡大図である。なお、図３における断面部位は、図１Ｄに示す断面と同様の部位である。
【００４９】
複数の伸縮材を配置する際の間隔については、伸縮材を配置する位置、例えば、ウエスト周り、腹回り、或いは脚周り等の配置位置に応じて、その間隔を適宜設定することができる。例えば、ウエスト周りに配置する伸縮材（ウエスト周り伸縮材）である場合には、５〜１０ｍｍであることが好ましい。なお、上記間隔は、第一シート及び第二シートの間と、第二シート及び第三シートの間との区別を問わず、シート積層部のシート間に配置される伸縮材の配置間隔である。複数の伸縮材を配置する際の間隔が、５ｍｍ未満であると、伸縮材の間隔が狭すぎて、着用者の肌に伸縮材の跡（ゴム跡）がつき易くなることがあり、一方、１０ｍｍを超えると、伸縮材の間隔が広く、一定の範囲に配置される伸縮材の本数が減少し、伸縮材の強度が相対的に低下してしまうことがある。
【００５０】
また、第一シートと第二シートとの間に配置された伸縮材の間隔、及び第二シートと第三シートとの間に配置された伸縮材の間隔のそれぞれが、１０ｍｍ以上であることが好ましく、１０〜３０ｍｍであることが更に好ましく、１５〜２５ｍｍであることが特に好ましい。このように構成することによって、二枚のシート間（即ち、第一シートと第二シートとの間、或いは、第二シートと第三シートとの間）に配置される伸縮材の間隔が広くなり、着用者の肌に伸縮材の跡がよりつき難くなる。
【００５１】
シート積層部に配置される伸縮材の本数については特に制限はない。また、その太さや伸張率等も目的に応じて適宜設定することができる。例えば、ギャザーの収縮の程度等を勘案した上で、構成材料、その材料の伸張率、固定時の伸張状態等を決定することができる。
【００５２】
上記伸縮材としては、従来の使い捨ておむつなどの吸収性物品に使用されている伸縮材を用いることができる。具体的には、天然ゴムや合成ゴム（ウレタンゴム等）の弾性材からなる糸ゴム、平ゴム、伸縮性ネット、伸縮性フィルム、伸縮性フォーム（ウレタンフォーム等）等を挙げることができる。
【００５３】
なお、本発明の使い捨ておむつにおいては、例えば、第一シートと第二シートとの間に配置された伸縮材と、第二シートと第三シートとの間に配置された伸縮材とが、異なる材質や強度の伸縮材であってもよい。また、例えば、第一シートと第二シートとの間に配置された伸縮材と、第二シートと第三シートとの間に配置された伸縮材とが、伸張率の異なる状態で配置されたものであってもよい。このように、本発明の使い捨ておむつにおいては、従来、二枚のシート間に配置されていた複数の伸縮材を、第一シートと第二シートとの間と、第二シートと第三シートとの間に分けて（分担して）配置することができるため、各シート間で、材質や強度或いは伸張率を変える配置とすることで、より良好な着用感、及びフィット感を得ることが可能である。
【００５４】
例えば、シート積層部を構成するシート相互間に配置された伸縮材のうち、おむつの内側（即ち、着用者の肌側）に配置される伸縮材の伸張率よりも、おむつの外側（着用者の衣類側）に配置される伸縮材の伸張率が大であることが好ましい。このように構成することによって、着用者の肌と一枚のシートを隔てて配置される伸縮材の伸張率が小となり、且つ、伸張率がより大きな伸縮材は、少なくとも二枚のシートを隔てて着用者の肌と接触する。このため、着用者の肌に、伸縮材による跡がつき難くなる。また、おむつの外側には、伸張率がより大きな伸縮材が配置されているため、シート積層部全体の伸縮性を良好に確保することができる。
【００５５】
例えば、本発明の使い捨ておむつにおいては、おむつの外側に配置される伸縮材の伸張率に対して、おむつの内側に配置される伸縮材の伸張率が０．５〜１倍であることが好ましく、０．６〜０．９倍であることがより好ましい。このように構成することによって、着用者の肌には跡がつき難く、且つ、シート積層部全体の伸縮性を良好に確保することができる。
【００５６】
上述した「伸張率」とは、非伸張状態の長さに対する、伸張した状態における長さの百分率（「伸張した状態における長さ」／「非伸張状態の長さ」×１００）のことをいう。なお、特に限定されることはないが、おむつの外側に配置される伸縮材が、例えば、天然ゴムや合成ゴムである場合には、１２０〜４００％の伸張状態（伸張率）で固定することが好ましく、２００〜３００％の伸張状態で固定することがより好ましい。
【００５７】
また、おむつの内側と外側とで、伸縮材の強度（例えば、引張強度）等を変える場合には、例えば、おむつの外側に配置される伸縮材の強度に対して、おむつの内側に配置される伸縮材の強度が０．５〜１倍であることが好ましく、０．６〜０．９倍であることがより好ましい。このように構成することによって、着用者の肌には跡がつき難く、且つ、シート積層部全体の伸縮性を良好に確保することができる。伸縮材の強度を変える方法としては、使用する伸縮材として、太さの異なるものを用いることや、伸縮材を構成するゴムの配合を変えて強度を異なるものとすること等の方法を挙げることができる。
【００５８】
また、本発明の使い捨ておむつにおいては、シート積層部に配置される伸縮材の材質や強度或いは伸張率を変えるだけでなく、シート積層部を構成する各シート（第一シート、第二シート、及び第三シート）を異なる材質や特性のものとしてもよい。
【００５９】
図１Ａ〜図１Ｄにおいては、使い捨ておむつ１Ａとして、パンツ型の使い捨ておむつの場合の例を示しているが、本発明の使い捨ておむつは、パンツ型の使い捨ておむつに限定されることはなく、例えば、テープ型の使い捨ておむつに適用することもできる。
【００６０】
なお、「パンツ型の使い捨ておむつ」は、図１Ａに示すように、おむつの前身頃２、股下部４及び後身頃６を構成する外装体１６と、吸収性本体１４とを備え、前身頃２と後身頃６の対応する側縁２ａ，６ａ（２ｂ，６ｂ）同士が接合されて（接合部８）、一つのウエスト開口部１０と一対のレッグ開口部１２（１２ａ，１２ｂ）が形成された使い捨ておむつである。また、「テープ型の使い捨ておむつ」は、前身頃と後身頃とを固定するための止着テープを更に備え、使用前のおむつが展開された状態であり、止着テープによっておむつの前身頃と後身頃とを相互に固定することで、着用者に装着させるように構成された使い捨ておむつである。
【００６１】
また、本明細書において、「前身頃」とは、着用者におむつを装着した際に、着用者の腹側（身体前方）を覆う部分、後身頃」とは、着用者におむつを装着した際に、着用者の背側（身体後方）を覆う部分、「股下部」とは、着用者におむつを装着した際に、着用者の股下を覆う部分、特に、展開した状態の使い捨ておむつにおいて、レッグ開口部を形成するＲ状の切欠き部が形成された前記前身頃及び前記後身頃を除く部位を意味するものとする。即ち、パンツ型使い捨ておむつの接合部を剥離し展開した際に、外装体の左右一対のレッグ開口部の開口周縁に挟まれた部分を「股下部」とし、股下部の前端から外装体の前端（ウエスト端縁）に至るまでの部分を「前身頃」、股下部の後端から外装体の後端に至るまでの部分を「後身頃」と称することにする。
【００６２】
［１−２］吸収性本体：
本発明の使い捨ておむつは、着用者の排泄した尿を吸収し保持する機能を担う部材として、吸収性本体を備えている。この吸収性本体は、吸収体２２と、吸収体２２の内面を被覆するように配置されたトップシート１８と、吸収体２２の外面を被覆するように配置されたバックシート２０とを構成要素として有し、吸収体２２がトップシート１８とバックシート２０との間に挟持された状態で固定され、パッド状に一体化された部材を挙げることができる。
【００６３】
［１−２Ａ］吸収体：
「吸収体」は、着用者の尿等を吸収し、保持するための部材であり、吸収性材料によって構成される。吸収体はトップシートとバックシートの間に挟みこまれ、両シートと一体化された状態で用いられる。
【００６４】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００６５】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。この際、ＳＡＰはフラッフパルプのマット中に混在させるか、フラッフパルプのマットの層間に層状に配置して用いればよい。
【００６６】
［１−２Ｂ］トップシート：
トップシートは、吸収体の表面（装着時において着用者の肌側に位置する面）を被覆するように配置されるシートである。トップシートは、着用者の尿等を透過させる必要から、その少なくとも一部（全部又は一部）が液透過性材料により構成される。
【００６７】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００６８】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００６９】
トップシートは、「少なくとも一部」、具体的には、トップシートを平面的に見た場合に、少なくとも吸収体の表面近傍は液透過性材料により構成されていることが好ましい。
【００７０】
［１−２Ｃ］バックシート：
バックシートは、吸収体の裏面（装着時において着用者の肌から遠い側に位置する面）を被覆するように配置されるシートである。バックシートは、着用者の尿が吸収性本体の外部に漏洩してしまうことを防止する必要から、液不透過性材料によって構成される。
【００７１】
バックシートの配置位置については特に制限はない。吸収体で吸収された尿の漏れを防止するという観点から、少なくとも吸収体の存在する部分にバックシートが配置されていることが好ましい。
【００７２】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００７３】
［１−３］立体ギャザー：
本発明の使い捨ておむつは、着用者の排泄した尿の横漏れを防止するため、立体ギャザーを備えていてもよい。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【００７４】
立体ギャザーの構成は、従来の使い捨ておむつに使用されている構成を採用することができる。例えば、撥水性のシート材の一部に伸縮材（立体ギャザー伸縮材）を配置し、その立体ギャザー伸縮材によってシート材にギャザー（襞）を形成したもの等を好適に用いることができる。なお、立体ギャザーは、トップシートやバックシートとは全く別個のシート材により形成してもよいが、トップシート等を折り返すことにより形成してもよい。
【００７５】
この立体ギャザーは、股下部からの漏れを防止するため、少なくとも股下部に形成されていればよいが、前身頃や後身頃に形成されていてもよい。例えば、図４に示す使い捨ておむつ１Ｄは、おむつの長手方向に沿って、股下部４から前身頃２と後身頃６の双方にかけて連続的（換言すれば、吸収性本体の長手方向全域）に、一対の立体ギャザー２６（２６ａ，２６ｂ）が形成された場合の例を示している。この立体ギャザー２６は、撥水性のシート材の一部に立体ギャザー伸縮材３６（３６ａ，３６ｂ）を配置して、立体的に起立可能なように構成されている。このような立体ギャザーは、少なくとも一対形成する必要があるが、二対以上形成してもよい。ここで、図４は、本発明の使い捨ておむつの更に他の実施形態を展開し、トップシート側から見た状態を示す概略平面図である。なお、図４に示す使い捨ておむつにおいて、図１Ｂに示す使い捨ておむつの各要素と同様に構成されているものについては、同一の符号を付して説明を省略する。
【００７６】
［１−４］各種伸縮材：
本発明の使い捨ておむつには、着用者の肌へのフィット性を向上させるために各種伸縮材を配置してもよい。即ち、本発明の使い捨ておむつにおいては、シート積層部と、このシート積層部を構成するシート間に配置される伸縮材とによって伸縮部位が形成されたものであるが、このようなシート積層部からなる伸縮部位とは別に、必要に応じて、各種伸縮材を別途配置してもよい。このような伸縮材としては、例えば、脚周り伸縮材、ウエスト周り伸縮材、腹回り伸縮材等を挙げることができる。例えば、図１Ａ及び図１Ｂにおいては、伸縮部位の伸縮材６８として、ウエスト周り伸縮材５２が採用されており、この他の伸縮材としては、腹回り伸縮材５４、脚周り伸縮材５６等を挙げることができる。
【００７７】
ウエスト周り伸縮材は、ウエスト開口部に沿って配置される伸縮材である。ウエスト周り伸縮材を配置することによって、ウエスト開口部に伸縮性に富むギャザー（ウエストギャザー）を形成することができる。このウエストギャザーによって、ウエスト周りに隙間が形成され難くなり、ウエスト周りからの尿漏れを防止することができる。また、おむつのフィット性が良好となり、おむつのずり下がりを防止することができる。
【００７８】
腹周り伸縮材は、着用者の腹周りに相当する部分に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００７９】
脚周り伸縮材は、おむつの脚周りに沿って伸張状態で配置される伸縮材である。この脚周り伸縮材を配置することによって、おむつの脚周りに伸縮性に富むギャザー（レグギャザー）を形成することができる。従って、脚周りに隙間が形成され難くなり、脚周りからの尿漏れを効果的に防止することができる。
【００８０】
これらの伸縮材は、ギャザーの収縮の程度等を勘案した上で、構成材料、その材料の伸長率、固定時の伸長状態等を適宜設定することができる。
【００８１】
伸縮材としては、従来の使い捨ておむつにおいて使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００８２】
伸縮材は、十分な伸縮力を作用させるため、伸長状態で固定することが好ましい。例えば、伸縮材が天然ゴムや合成ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００８３】
上記伸縮材は、おむつの他の構成部材に対して、接着剤などによって固定することができる。固定方法としては、具体的には、ホットメルト接着剤、その他の流動性の高い接着剤を用いた方法や、ヒートシールなどの、熱や超音波等による方法を挙げることができる。
【００８４】
［２］使い捨ておむつの製造方法：
以下、本発明の使い捨ておむつの製造方法として、図１Ａ〜図１Ｄに示す使い捨ておむつ１Ａを製造する場合の例で説明する。
【００８５】
まず、吸収体、吸収体の上面側を被覆するように配設された、少なくとも一部が液透過性材料からなるトップシート、及び吸収体の下面側を被覆するように配設された、液不透過性材料からなるバックシートを有する吸収性本体を作製する。このような吸収性本体は、従来公知の吸収性本体の作製方法に従って作製することができる。
【００８６】
具体的には、まず、バックシート２０の幅方向中央部に、親水性シートによって包まれた吸収体２２を載置する。その後、吸収体２２を被覆するようにトップシート１８を載置するとともに、トップシート１８とバックシート２０とを接着して、吸収体２２の周縁部をトップシート１８とバックシート２０とで挟み込むように封着する。このようにして、本発明の使い捨ておむつに用いられる吸収性本体を作製することができる。
【００８７】
次に、外装部材１６となる二枚の不織布シート（インナーシート１６ａ，アウターシート１６ｂ）を用意し、アウターシート１６ｂの上面に、腹周り伸縮材５４、及び、脚周り伸縮材５６を配置する。また、ウエスト周り伸縮材５２を、シート積層部６６の伸縮材６８とするため、おむつの外側に配置される伸縮材６８ｂを、ウエスト周り伸縮材５２の一部として配置する。
【００８８】
アウターシート１６ｂは、インナーシート１６ａと積層した後に、このシートの側縁部分を折り返して、三層構造のシート積層部６６を形成するため、図１Ｄにおける第一シート６６ａを形成する分だけ、幅の広いシートを用意する。
【００８９】
また、伸縮材を配置する際には、各伸縮材或いは伸縮材を配置する部位に対して、ホットメルト接着剤等を塗布し、インナーシート１６ａとアウターシート１６ｂとを、伸縮材を介して接着可能とする。
【００９０】
各伸縮材（腹周り伸縮材５４、脚周り伸縮材５６、ウエスト周り伸縮材５２の一部（伸縮材６８ｂ））を配置したアウターシート１６ｂの上面に、インナーシート１６ａを積層し、固定することにより、二枚の不織布シートの間に、ウエスト周り伸縮材５２の一部（伸縮材６８ｂ）、腹周り伸縮材５４、脚周り伸縮材５６が介装された二層のシート積層体を得る。この二層のシート積層体は、上記したようにアウターシート１６ｂとして、幅広なシートが用いられているため、アウターシート１６ｂの側縁部分が外側に張り出した状態となる。
【００９１】
次に、アウターシート１６ｂの外側に張り出し部分を、インナーシート１６ａの上面に折り返し、且つ、この折り返し部分（アウターシート１６ｂの外側に張り出し部分）とインナーシート１６ａとの間に、残りのウエスト周り伸縮材５２（伸縮材６８ａ）を配置する。この際、伸縮材６８ａにホットメルト接着剤等を塗布して、折り返し部分とインナーシート１６ａとを伸縮材６８ａを介して接合する。
【００９２】
このようにして外装体１６を形成することによって、アウターシート１６ｂが、シート積層部６６の第三シート６６ｃとなり、インナーシート１６ａが、シート積層部６６の第二シート６６ｂとなり、アウターシート１６ｂの折り返し部分が、シート積層部６６の第一シート６６ａとなる。
【００９３】
なお、ウエスト周り伸縮材５２の一部（伸縮材６８ｂ）と、残りのウエスト周り伸縮材５２（伸縮材６８ａ）とを、それぞれのシート間に配置する際には、伸縮材６８ｂと伸縮材６８ａとの配置位置が重ならないように、伸縮材６８ａ，６８ｂを配置する間隔を調整することが好ましい。また、第一シート６６ａ及び第二シート６６ｂの間と、第二シート６６ｂ及び第三シート６６ｃの間に、伸縮材６８ａ，６８ｂが交互に配置されるようにすることが更に好ましい。
【００９４】
次に、外装体１６の股下部近傍に、既に得られた吸収性本体を配置し、固定する。その後、外装体の脚周り開口部を形成する領域を切除し、後に脚周り開口部となる孔を形成する。この孔は、孔の外周形状と一致する切断刃を有するカッターで切り抜くことにより形成することができる。
【００９５】
その後、吸収性本体が内側になるとともに、前身頃２と後身頃６とを合わせるように二つ折りにし、前身頃２と後身頃６とをヒートシール等により接着して、接合部８を形成する。このようにして図１Ａに示す使い捨ておむつ１Ａ（パンツ型使い捨ておむつ）を製造することができる。
【００９６】
なお、上記した製造方法は、ウエスト周り伸縮材５２を、シート積層部６６に配置される伸縮材６８とした場合の例であるが、腹周り伸縮材５４や脚周り伸縮材５６を配置する場合に、三枚のシートによって同様に構成されたシート積層部を形成することもできる。
【００９７】
また、アウターシートを折り返すことによって、アウターシート−インナーシート−アウターシートからなるシート積層部を形成する場合の例を示しているが、例えば、インナーシートをおむつの外側に折り返して、インナーシート−アウターシート−インナーシートからなるシート積層部を形成することもできるし、更に、インナーシートとアウターシート以外のシート（上記製造方法におけるインナーシートの折り返し部分の代わりのシート）を別途用意し、そのシートを、インナーシート或いはアウターシートの上面に更に配置してシート積層部を形成することも可能である。
【産業上の利用可能性】
【００９８】
本発明の使い捨ておむつは、乳幼児用、或いは介護を必要とする高齢者や障害者等の成人用のおむつとして好適に利用することができる。
【符号の説明】
【００９９】
１Ａ，１Ｂ，１Ｃ，１Ｄ，１００：使い捨ておむつ、２：前身頃、２ａ，２ｂ：側縁（前身頃の側縁）、４：股下部、６：後身頃、６ａ，６ｂ：側縁（後身頃の側縁）、８：接合部、１０，１１０：ウエスト開口部、１２，１２ａ，１２ｂ，１１２，１１２ａ，１１２ｂ：レッグ開口部、１４，１１４：吸収性本体、１６，１１６：外装体、１６ａ，１１６ａ：インナーシート、１６ｂ，１１６ｂ：アウターシート、１６Ｘ：外装体の一部、１８，１１８：トップシート、２０，１２０：バックシート、２２，１２２：吸収体、２６，２６ａ，２６ｂ：立体ギャザー、３６，３６ａ，３６ｂ：立体ギャザー伸縮材、５２：ウエスト周り伸縮材、５４：腹回り伸縮材、５６：脚周り伸縮材、６６：シート積層部、６６ａ：第一シート（シート）、６６ｂ：第二シート（シート）、６６ｃ：第三シート（シート）、６８：伸縮材、６８ａ：一の伸縮材、６８ｂ：他の伸縮材、１３０：伸縮材。
【図１Ａ】
0005445322.tif 000002
【図１Ｂ】
0005445322.tif 000003
【図１Ｃ】
0005445322.tif 000004
【図１Ｄ】
0005445322.tif 000005
【図１Ｅ】
0005445322.tif 000006
【図２】
0005445322.tif 000007
【図３】
0005445322.tif 000008
【図４】
0005445322.tif 000009
【図５Ａ】
0005445322.tif 000010
【図５Ｂ】
0005445322.tif 000011
【図５Ｃ】
0005445322.tif 000012
【図５Ｄ】
0005445322.tif 000013